(57)【要約】【課題】従来における集合住宅では、大地震等により構造物と一体となるドア枠が歪むことでドアの開閉が不能となり、特に、２階以上の部屋では避難することが困難となる問題があった。【解決手段】本発明における耐震ドアでは、第１のドア５内に第２のドア６を形成し、大地震等により第１のドア枠３、第１のドア５、第２のドア枠２１が歪み第１のドアが開閉不能となった場合、第２のドア６により建物の外部に避難することができる。つまり、本発明では、非常用に第２のドア６を第１のドア５内に形成するが、常時、一体の耐震ドア１として用いる。そして、非常に第２のドア６を独立して非常用のドアとして用いることで、屋内に閉じこめられる等の２次災害を防止することができる。【選択図】　　図７
2004068254.tif 000002
【特許請求の範囲】
【請求項１】
構造物と隣接して配置される第１のドア枠にヒンジを介して設置された第１のドアと、該第１のドアと隣接して配置される第２のドア枠と、該第２のドア枠内に開閉機構を介して設置された第２のドアを備えた耐震ドアにおいて、
前記開閉機構は一端を前記第２のドアに取り付けられ且つ他端を前記第２のドア枠に取り付けられたアームで構成され、前記アームは前記第２のドアを閉じた時に前記第２のドア枠と前記第２のドアの隙間に収容され、更に前記第２のドア枠と前記第２のドア間の隙間は前記第２のドアの外周部に設置されるひさし状の縁部で覆うことを特徴とする耐震ドア。
【請求項２】
前記第１のドアに設けた取手の一端近傍に前記第１のドアの錠前部を設け、他端近傍に前記第２のドアの錠前部を設け、前記第２のドアの存在を隠すことを特徴とする請求項１に記載の耐震ドア。
【請求項３】
前記第２のドアは開閉する側へ水平方向にスライドしながら開閉することを特徴とする請求項１記載の耐震ドア。
【発明の詳細な説明】
【０００１】
【発明の属する技術分野】
本発明は、一般住宅や集合住宅等における出入口用のドアであって、特に、地震等により建物の出入口のドアが開閉不能となった場合に建物への出入を行うことを可能とする耐震ドアに関する。
【０００２】
【従来の技術】
例えば、平成７年１月１７日に発生した兵庫県南部地震では、直下型地震がいかに大きな都市災害をもたらすかを露呈した。そして、この兵庫県南部地震では、ビルの倒壊、火災等の様々な震害が発生したが、なかでも都市住宅で大きな比重を占める高層ビル、マンション等の集合住宅が大きな被害を受けた。
【０００３】
近時は高層ビルが多くなり、今後もビルの高層化は増加する一方である。他面、近時各地で大きな地震が発生しており、今後も大地震の発生は不可避である。そして、地震発生時にビル自体が倒・崩壊しなくても、ビルの各部分には地震動による変形・歪みが生じる。例えば、地震動による力でドア枠周辺の壁に変形・歪みが生じると、ドア枠にも変形・歪みが生じることでドア枠がドアを押さえ付け、ドアの開閉を妨げる。このとき、特に、高層ビルでは、各部屋から脱出する唯一の手段である玄関ドアの開閉が不能となることで、地震発生時に各部屋内で人々が閉じこめられることとなる。
【０００４】
具体的には、現在、建築用に使用されているドアは、ドアとドア枠との間に若干の隙間が設けられているだけである。そのため、地震等の災害が発生した場合、構造物の歪みにより、ドア枠およびドアが変形し、ドアが開かなく、室内に人が閉じこめられてしまう。従って、特に、集合住宅では、変形して開かなくなったドアからの脱出方法を考慮しておくことは、重要なことである。
【０００５】
【発明が解決しようとする課題】
上述したように、高層ビル、マンション等の集合住宅では、大地震による建物の倒・崩壊は逃れても、その後、ドア枠およびドアが変形し、ドアが開かなく、室内に人が閉じこめられてしまうという問題があった。
【０００６】
また、高層ビル、マンション等の集合住宅では、大地震によりドア枠およびドアが変形し、ドアが開かなく、室内に人が閉じこめられた際、避難するために唯一の出入口である玄関ドアを壊し、建物の外へと脱出しなければならない。この時、建物の部屋内には貴金属等の貴重品はそのままの状態で放置され、２次的災害としてそれらの貴重品が盗難されてしまうという問題があった。
【０００７】
更に、高層ビル、マンション等の集合住宅では、大地震により構造物にクッラクが入り、玄関ドアの開閉等に支障をきたす等の問題が発生しても、建てかえる必要性が無い場合には、同じ集合住宅内の住人等の話し合いにより、今後の対策が決められる。この時、速やかに玄関ドアの復旧が行うことが出来れば問題がないが、通常、玄関ドアの復旧には１〜２週間程度期間を有し、その期間の間、壊れた玄関ドアで生活を行わなければならず、安全面でも問題があった。
【０００８】
【課題を解決するための手段】
本発明は上述した従来の課題に鑑みてなされたもので、本発明である耐震ドアでは、構造物と隣接して配置される第１のドア枠にヒンジを介して設置された第１のドアと、該第１のドアと隣接して配置される第２のドア枠と、該第２のドア枠内に開閉機構を介して設置された第２のドアを備えた耐震ドアにおいて、前記開閉機構は一端を前記第２のドアに取り付けられ且つ他端を前記第２のドア枠に取り付けられたアームで構成され、前記アームは前記第２のドアを閉じた時に前記第２のドア枠と前記第２のドアの隙間に収容され、更に前記第２のドア枠と前記第２のドア間の隙間は前記第２のドア枠から突出するひさし状の縁部で覆うことを特徴とする。
【０００９】
つまり、本発明の耐震ドアでは、大地震等により構造物と一体と成る第１のドア枠が歪み第１のドアの開閉が不能となった場合、第２のドアを非常用のドアとして用いることで、建物の部屋内に人が閉じこめられることなく、避難を可能とすることで、上述した課題を解決する。
【００１０】
また、本発明の耐震ドアは、好適には、前記第１のドアに設けた取手の一端近傍に前記第１のドアの錠前部を設け、他端近傍に前記第２のドアの錠前部を設け、前記第２のドアの存在を隠すことを特徴とする。
【００１１】
つまり、本発明の耐震ドアでは、常時、第１のドアと第２のドアを一体として用いることができ、大地震等により第１のドアの開閉が不能となった場合に、第２のドアにより人の出入りを可能とする。そして、第２のドアにも施錠部を有することで盗難等も防止でき、安全性に優れている。また、常時、第２のドアの存在は外観からは分からないように形成されていることで、安全性、デザイン性に優れることで、上述した課題を解決する。
【００１２】
【発明の実施の形態】
以下に、本発明の耐震ドアについて、図１から図７を参照にして詳細に説明する。図１は耐震ドアの外観図であり、図２及び図３は図１に示した耐震ドアの断面図であり、図４はドアの外縁部の詳細図であり、図５及び図６は第２のドアの開閉機構を説明する図であり、図７は震災時等の脱出方法を説明する図である。
【００１３】
先ず、図１に示す如く、図１（Ａ）は屋外側からの耐震ドアの正面図であり、図１（Ｂ）は屋内側からの耐震ドアの正面図である。図１（Ａ）に示したように、屋外側では、本発明である耐震ドア１は、玄関等の出入口と成る構造物２の開口部に隣接して形成された第１のドア枠３内に蝶番４を介して設置されている。本実施の形態では、紙面に対して左側辺の第１のドア枠３に３箇所蝶番４を取り付け、耐震ドア１を第１のドア枠３内に固定し、開閉自在な構造としている。そして、本発明の耐震ドア１は第１のドア５内に第２のドア６が形成され、常時、一体の耐震ドア１として機能する。図示の如く、第１のドア５には、紙面に対して右側辺の近傍で、第１のドア５の中央部にドアノブ７が取り付けられている。ドアノブ７の上端部には第１のドア５の施錠を目的とする第１の施錠部８が形成されており、一方、ドアノブ７の下端部には第２のドア６の施錠を目的とした第２の施錠部９が形成されている。また、第２のドア６には、ドアアイ１０、郵便受け１１が設置されており、第２のドア６の外周部には外縁フレーム１２が設置されている。
【００１４】
図１（Ｂ）に示したように、屋内側では、第１のドア５の屋外側に取り付けられたドアノブ７と対に成る位置にドアノブ２６が取り付けられている。そして、ドアノブ７の第１および第２の施錠部８、９に対に成る位置のドアノブ２６には第１の施錠レバー１４および第２の施錠レバー１５が形成されている。また、第１のドア５と第１のドア枠３とはアームヒンジ１６を介して連結しており、第１のドア５の開閉を補助している。また、第１のドア５には外縁フレーム１２と対となるように内縁フレーム１３が形成されている。一方、第２のドア６には、屋外側と対となる位置にドアアイ７が設けられており、郵便受け１１と対となる位置に郵便かご１７が設置されている。そして、本実施の形態では、第２のドア６には紙面に対して右側辺近傍のドアノブ２６とほぼ同様な高さの位置に開閉用の取っ手１８が形成されており、非常時にはこの取っ手１８により第２のドア６の開閉を行う。
【００１５】
上述したように、本発明の耐震ドア１にはドアノブ７上端部及び下端部を利用して第１及び第２の施錠部８、９が形成されていることに特徴がある。詳細は後述するが、第１のドア５と第２のドア６とは第２のドア６の外周部に形成された外縁フレーム１２によりその第１のドア５と第２のドア６との境界部が覆われている。そして、第２の施錠部９により第１のドア５と第２のドア６とを、常時、一体として扱うことで、第１のドア５と第２のドア６とは外観上一枚のドアとしてデザインされている。つまり、本発明の耐震ドア１では外観上１枚のドアとして成るため、ドアノブ７に設けられた第１及び第２の施錠部８、９は第１のドア５用の二重施錠部として見られる。そのため、空き巣等から狙われ易くなることも無く、安全性の面からも問題がない。尚、本実施の形態では、施錠としては、ドアノブ７に設けられた第１及び第２の施錠部８、９のみであるが、例えば、ドアノブ７下部の第１のドア５に第３の施錠部を設けることで、実際上第１のドア５を二重施錠部とすることで、更に安全性を向上することもできる。また、第２の施錠部９を第１及び第２のドア５、６の共通の施錠とすることでもできる。
【００１６】
次に、図２及び図３に示す如く、耐震ドア１の断面構造について説明する。図２は図１（Ａ）の耐震ドア１のＸ―Ｘ線方向の断面図であり、図３は図１（Ａ）の耐震ドア１のＹ―Ｙ線方向の断面図である。尚、図２及び図３では紙面の都合上第２のドア６の一部を省略して図示している。
【００１７】
図２では耐震ドア１の縦方向断面を示している。第１のドア５は、通常の玄関ドア等と同様に、第１の隙間１９を設けて第１のドア枠３に設置されている。そして、本実施の形態では、第１の隙間１９は２〜５ｍｍ程度有するように第１のドア５は配置されている。一方、第１のドア５と一体に形成されている第２のドア枠２１及び第２のドア６は上述した場合と同様に、第２のドア６が第２の隙間２０を設けて第２のドア枠２１に設置されている。このとき、本発明では、第２のドア６は大地震等により第１のドア５の開閉が不能と成った場合の非常用のドアとして用いることを目的としている。そのため、大地震等により第１のドア枠３が歪み、その時、第１のドア５も同様に歪むことが考えられ、本発明の耐震ドア１は以下の構造としている。
【００１８】
本発明の耐震ドア１では、少なくとも第１のドア５の材料として、例えば、ペーパーハニカムコア、アルミハニカムコア等の衝撃吸収性に富む材料を用いることに特徴を有する。そのことで、構造物から伝わる衝撃により第１のドア枠３が歪み、更に、その衝撃が第１のドア５に伝わったとしても第１のドア５でその衝撃を緩衝することができる。その結果、第２のドア枠２１はほとんど歪むことなく済み、第２のドア６の開閉を可能とすることができる。また、本発明の耐震ドア１では、第２の隙間２０を８〜１２ｍｍ程度有することにも特徴がある。上述したように、大地震等が発生し構造物から伝わる衝撃により第２のドア枠２１までも歪むことがあったとしても、本発明では、第２の隙間２０を第１の隙間１９よりも約３倍程度広く設けている。そのことで、第２のドア枠２１が歪むことがあっても第２の隙間２０でその歪みに対処でき、第２のドア６の開閉に支障をきたすことは無い。
【００１９】
尚、詳細は後述するが、第２の隙間２０に位置する第２のドア６の上端面及び下端面に収納されるレバーヒンジ２４（図５参照）により、第２のドア枠２１と第２のドア６とは固定されている。また、第１のドア枠３の内周部には、第１のドア５の外周部を囲むように機密ゴム２２が取り付けられている。この機密ゴム２２は、耐震ドア１を閉めたときの第１の隙間１９部での密封性を向上させている。また、機密ゴム２２により第１のドア５の開閉時のクッション性をも向上させている。
【００２０】
図３では耐震ドア１の横方向断面を示している。横方向断面においても縦方向断面と同様な構造をしているので、ここでは上述した縦方向断面の説明を参照とし、横方向断面の説明は割愛する。尚、紙面に対して右側に位置する第２の隙間２０には第２の施錠部９による施錠バー（図示せず）が有り、第１のドア５と第２のドア６とを一体に固定している。
【００２１】
次に、図４に示す如く、本発明の特徴である第２の隙間２０を外観上塞ぐ外縁フレーム１２について説明する。尚、図４においても紙面の都合上その一部を省略している。
【００２２】
上述したように、第２のドア枠２１と第２のドア６との間には、例えば、８〜１２ｍｍ程度の第２の隙間２０を有することで、非常時の第２のドア６による屋外の避難を確保している。そして、本実施の形態では、耐震対策のため第２の隙間２０を空間として利用するが、第２のドア６の上側面及び下側面ではレバーヒンジ２４の収納スペースとし、第２のドア６の右側面では第２のドアの施錠機構を設けるスペースとしても利用している。そのため、第２のドア６と一体に取り付けられた外縁フレーム１２により第１のドア５と第２のドア６との外観上の一体性を実現している。図示したように、外縁フレーム１２内には第２のドア枠２１と当接する部分に気密ゴム２３が組み込まれている。そして、気密ゴム２３と第２のドア枠２１とを確実に当接させることで、第１のドア５と第２のドア６との一体性を実現し、密封性も実現している。そのため、気密ゴム２３は第２のドア枠２１と同様に、第２のドア６を囲むように１周分設置されている。例えば、本実施の形態では、図示した角度αは４５°で形成されており、第２のドア６の外周部の４つのコーナー部での組み立て易さを実現している。一方、図２及び図３に示す如く、耐震ドア１の屋内側からは第１のドア５と一体となる内縁フレーム１３により第２の隙間２０は塞がれている。尚、その他の外縁フレーム１２は、例えば、アルミニウム等により形成されている。
【００２３】
次に、図５及び図６に示す如く、第２のドア６の開閉を担うレバーヒンジ２４について説明する。図５はレバーヒンジ２４の収納時の状態の上面図である。
【００２４】
図５に示すように、レバーヒンジ２４は第２の隙間２０に位置する第２のドア６の上側面および下側面に、第２のドア６及び第２のドア枠２１と連結するように取り付けられている。そして、上述したように、常時、第１のドア５及び第２のドア６は一体となり、耐震ドア１として利用されるので、レバーヒンジ２４は外縁フレーム１２及び内縁フレーム１３により塞がれる第２の隙間２０内に収納されている。そして、レバーヒンジ２４は耐震ドア１の屋内側からも屋外側からも外観上見ることは出来ない。そのことで、本発明の耐震ドア１は、外観上、蝶番４及びアームヒンジ１６が第１のドアと第１のドア枠３とを固定しているのみである。その結果、本発明の耐震ドア１は、外観上、屋内側からも屋外側からも１枚のドアとして扱うことができるので、そのデザイン性および安全性の向上を図ることができる。尚、レバーヒンジ２４は、図１（Ａ）で示すところ、紙面に対して第２のドア６の上側面及び下側面の左側端部近傍にそれぞれ取り付けられている。
【００２５】
図６（Ａ）、（Ｂ）は第２のドアが開放時の状況を図示している。図示のように、本実施の形態では、２本のレバー２４１、２４２がそれぞれ第２のドア６及び第２のドア枠２１と接続し、第２のドア６は開閉している。このとき、レバーヒンジ２４は第２のドア６の端部から少し内側に設置されており、第２のドア６の上側面および下側面に設置されたレバーヒンジ２４により開閉がコントロールされる。そのため、本発明では、第２のドア６は屋外側、つまり開閉方向にスライドするように開閉することに特徴がある。
【００２６】
具体的には、図６（Ａ）に示すように、本発明では、第１のドア５と第２のドア６とは第２の隙間２０分の空間を有しているが、更に、開閉時には第２のドア６が屋外方向へスライドする分の余分な空間を有することとなる。図示の如く、外縁フレーム１２は第２のドア枠２１から開閉方向へずれた位置で回転するため、第２のドア枠２１が多少歪んだとしても第２のドア６の開閉には支障をきたすことはない。そして、図６（Ｂ）に示す如く、第２のドア６は屋外側の第１のドア５よりも５〜１０ｃｍ程度屋外側にスライドする。つまり、第２のドア６は第２のドア６の上面及び下面に回転軸を有し、左側面の第２のドア枠２１とは固定されていない。そのことで、第２のドア枠２１が多少第２のドア６側に歪んだ場合でも、これらの空間をもって対処することができる。
【００２７】
最後に、図７に示す如く、大地震により第１のドア５の開閉が不能となり第２のドア６の開閉状況を図示している。図示したように、地震発生時にドア回りの構造物２、例えば、壁にせん断破壊が生じ、同時に第１のドア枠３に大きな外力が加わる。このとき、第１のドア枠３の構造上第１のドア枠３の長手側辺（高さ方向）の中央近傍に応力が集中し、第１のドア枠３はその中央近傍で最も大きく内側へと歪むこととなる。そのことで、第１のドア枠３の歪みは、第１の隙間１９（図２参照）では対処できず、第１のドア５へと伝わり第１のドア５も同様に中央近傍で歪むこととなる場合が多い。そして、この状況下のように、例えば、地震動によるビルの変形・歪みでドア枠が水平方向に１０ｍｍ変位した場合、押え付けられて引っ掛かった状態のドアを開けるのに要する力は１００Ｋｇ以上となり、また変位が１３ｍｍの場合には２００Ｋｇ以上の力が必要となるという実験データが日本建築総合試験所から公表されている。つまり、この状況下において変形したドアを開閉させて屋外へ脱出することは限りなく不可能であると考えられる。
【００２８】
しかしながら、本発明の耐震ドア１では、上述したように、第１のドア５内に第２のドア６を有し、その他、第２の隙間２０、レバーヒンジ２４等の耐震構造を有している。そのことで、図７に示すように、第１のドア枠３、第１のドア５が歪み開閉不能な状態になっても、第２のドア６を介して屋外への避難等を容易に行うことができる。更に、図示の如く、第２のドア６には施錠穴２５が第２の施錠部９に対応した位置に設けられているので、屋外に避難する際に開閉可能な第２のドア６のロックをすることができる。そのことで、避難後に屋内に残された貴重品等を盗難されることも無くなるので、安全性でも優れた耐震ドア１を実現することができる。
【００２９】
また、地震の規模等により構造体が大破または崩壊し、解体、新築しなければならない状態の場合、立て直さなくともよいが、外壁等に対してかなりの補修工事が必要とされる場合等、被害の程度は様々である。特に、マンション等の集合住宅の場合、費用負担等の住民間の話し合いによりなかなか補修工事にもとりかかれないこともある。この場合、本発明の耐震ドア１では、第２のドア６を介して出入りが出来、更に、玄関ドアに鍵をすることができるので、例えば、補修工事が終了するまでの間も安心して生活することができる。
【００３０】
尚、本実施の形態では、請求項１記載の開閉機構であるアームはレバーヒンジに対応するが、この構造に限定する必要はない。上述した効果を得られる構造であればその構造へ変更可能である。その他、本発明の要旨を逸脱しない範囲で、種々の変更が可能である。
【００３１】
【発明の効果】
上述したように、第１に、本発明の耐震ドアでは、第１のドア内に第２のドアを形成し、大地震等により第１のドアの開閉が不能となった場合、第２のドアを介して屋内外への出入りを行うことを特徴とする。そのことで、本発明の耐震ドアでは、特に、マンション等の集合住宅のように、大地震等が発生した時の脱出経路が玄関ドアである場合でも、屋内からの脱出を容易に行うことができる。
【００３２】
第２に、本発明の耐震ドアでは、第２のドアの開閉は第２のドアの上側面及び下側面に取り付けられたレバーヒンジを介して行う。そして、第１のドアと第２のドアとの間に１０ｍｍ程度の隙間を有することに特徴を有する。そのことで、本発明の耐震ドアでは、屋外側に第２のドアを水平方向にスライドしながら開閉することができる。その結果、第２の隙間に第１のドア等が歪んだ場合でも、第２のドアの開閉を可能とすることができる。
【００３３】
第３に、本発明の耐震ドアでは、第２の効果で説明したレバーヒンジを、常時、第２の隙間に収納する。そして、第２の隙間は屋外側からは第２のドアと一体となる外縁フレームにより、屋内側からは第１のドアと一体となる内縁フレームにより塞いでいることに特徴を有する。そのことで、本発明の耐震ドアは、特に、屋外側からの外観上一枚のドアから成るように見える。その結果、本発明の耐震ドアは、盗難防止等の安全性に優れ、また、デザイン性にも優れたドアとすることができる。
【００３４】
第４に、本発明の耐震ドアでは、第１のドアに配置されたドアノブの上端近傍および下端近傍に少なくとも２つの施錠部を有し、１つは第１のドア用の施錠であり、もう１つは第２のドア用の施錠とすることに特徴を有する。そのことで、本発明の耐震ドアは、屋外側からの外観上一枚のドアに二重施錠が設けられているように見える。その結果、本発明の耐震ドアは、第３の効果と同様に、第２のドアの存在は隠すことができ、盗難防止等の安全性に優れたドアとすることができる。
【図面の簡単な説明】
【図１】本発明の耐震ドアを説明するための（Ａ）屋外側の正面図（Ｂ）屋内側の正面図である。
【図２】本発明の耐震ドアを説明するための図１（Ａ）に示したＸ―Ｘ線方向の断面図である。
【図３】本発明の耐震ドアを説明するための図１（Ａ）に示したＹ―Ｙ線方向の断面である。
【図４】本発明の耐震ドアに用いられる外縁フレームを説明するための図である。
【図５】本発明の耐震ドアに用いられるレバーヒンジを説明するための詳細図である。
【図６】本発明の耐震ドアに用いられるレバーヒンジを説明するための（Ａ）詳細図（Ｂ）詳細図である。
【図７】本発明の耐震ドアの非常時における使用方法を説明するための図である。
【符号の説明】
１　　　　　　耐震ドア
２　　　　　　構造物
３　　　　　　第１のドア枠
４　　　　　　蝶番
５　　　　　　第１のドア
６　　　　　　第２のドア
７　　　　　　ドアノブ
８　　　　　　第１の施錠部
９　　　　　　第２の施錠部
１２　　　　　　外縁フレーム
１９　　　　　　第１の隙間
２０　　　　　　第２の隙間
２４　　　　　　レバーヒンジ
【図１】
2004068254.tif 000003
【図２】
2004068254.tif 000004
【図３】
2004068254.tif 000005
【図４】
2004068254.tif 000006
【図５】
2004068254.tif 000007
【図６】
2004068254.tif 000008
【図７】
2004068254.tif 000009